(57)【要約】【課題】本発明は、メールに添付された画像ファイルの出所を明確にでき、該画像ファイルの整理を容易にすることができるデジタル情報機器の制御方法を提供する。【解決手段】無線通信機能を備えたＰＤＡ（Ｐｅｒｓｏｎａｌ  Ｄｉｇｉｔａｌ  Ａｓｓｉｓｔａｎｔ）から成るデジタル情報機器の制御方法は、受信したメールに添付されているファイルの種類を確認し、画像ファイルが添付されている場合は、当該画像ファイルをメールソフトの電子アルバム機能により取り込み、該画像ファイルの送信元が特定できるメールアドレス、名前、愛称の少なくとも１つを該画像ファイルの画像属性に付加する。【選択図】      図６
2004193859.tif 000002
【特許請求の範囲】
【請求項１】
電子メールを送受信するメール送受信手段を備えるデジタル情報機器の制御方法において、
前記受信した電子メールに添付された画像を識別する識別工程と、
前記識別した画像の属性に所定の情報を付加する付加工程と、
前記所定の情報が付加された画像を編集表示する編集表示工程とを備えることを特徴とするデジタル情報機器の制御方法。
【発明の詳細な説明】
【０００１】
【発明の属する技術分野】
本発明は、電子メールの送受信機能を備えるデジタル情報機器の制御方法に関し、特に、電子メールに添付された情報を編集表示することが可能な電子アルバム機能を備えるデジタル情報機器の制御方法に関する。
【０００２】
【従来の技術】
近年、デジタルカメラの画素密度の向上やパーソナルコンピュータ（以下、単に「ＰＣ」という。）の処理能力の向上に加えて、プリンタ技術の進歩により、デジタルカメラで撮影された画像のデジタル写真が銀塩写真に近い印象を与えるまでに至っている。今後、デジタルカメラは、デジタル情報機器としての位置付けが高くなると共に、各種デジタル情報機器との親和性が高められる。そのため、デジタルカメラで撮影された画像は、インターネット上のホームページにアップされたり、電子メールに添付されて友人に送られたりという様に流通される可能性が高くなっている（例えば、特許文献１，２参照）。
【０００３】
【特許文献１】
特開２００１−２７３５０５号公報
【特許文献２】
特開２００２−２１５６４３号公報
【０００４】
【発明が解決しようとする課題】
しかしながら、従来のデジタル情報機器では、画像ファイル等が添付された電子メールを受信すると、該画像ファイルを付属のメールソフトにより予め設定されたホルダに格納するが、電子メールに添付された画像ファイルが増えたときは、該画像ファイルを同一のホルダに格納するだけではどのような画像であるか、又は誰から送られてきたものかが分かりにくいという問題がある。
【０００５】
更に、デジタルカメラで撮影された画像は、一般に、番号が重ならないように複数桁の数字によりファイル名が付けられているので、ファイル名を見ただけでは、画像の出所の特定が難しいという問題がある。
【０００６】
また、上記特許文献１や特許文献２などに記載された技術では、撮影した画像内の人物に応じて、該画像の分類を行っているが、そのような分類を行った場合、電子メールに添付されて送信されてきた画像などは、誰から送信されてきた画像なのか不明になってしまうという問題がある。
【０００７】
本発明は、上記問題に鑑みてなされたものであり、電子メールに添付された画像ファイルの出所を明確にでき、該画像ファイルの整理を容易にすることができるデジタル情報機器の制御方法を提供することを目的とする。
【０００８】
【課題を解決するための手段】
上記目的を達成するために、請求項１記載のデジタル情報機器の制御方法は、電子メールを送受信するメール送受信手段を備えるデジタル情報機器の制御方法において、前記受信した電子メールに添付された画像を識別する識別工程と、前記識別した画像の属性に所定の情報を付加する付加工程と、前記所定の情報が付加された画像を編集表示する編集表示工程とを備えることを特徴とする。
【０００９】
【発明の実施の形態】
以下、本発明の実施の形態を図面を参照して詳細に説明する。
【００１０】
（第１の実施の形態）
図１は、本発明の第１の実施の形態に係るデジタル情報機器の制御方法を実行するシステムの全体構成を示す図である。
【００１１】
図１において、本システムは、電子メールの送受信が可能な無線通信機能を備えたＰＤＡ（Ｐｅｒｓｏｎａｌ  Ｄｉｇｉｔａｌ  Ａｓｓｉｓｔａｎｔ）から成るデジタル情報機器１と、公衆回線網３に接続された携帯電話２とで構成される。
【００１２】
デジタル情報機器１は、回転自在なデジタルカメラ２００と、入出力一体型のユーザインターフェースであるＬＣＤタッチパネル２０１と、方向を指示するために十字キー２０２ａ、選択ボタン２０２ｂ、及び機能キー２０２ｃから成るキー入力２０２とを備える。
【００１３】
携帯電話２は、音声出力部であるスピーカ２０３と、音声入力部であるマイク２０４と、電話番号や画像等の情報を表示する情報表示用ＬＣＤ２０５と、テンキーや機能キーから成るキー入力２０６とを備える。
【００１４】
デジタル情報機器１と携帯電話２との間は、例えば、Ｂｌｕｅｔｏｏｔｈによる近距離無線通信方式で通信が行われる。また、携帯電話２は、公衆回線網３との間で、例えば、ＩＭＴ２０００により通信が行われる。
【００１５】
図２は、図１のデジタル情報機器１の内部構成を示すブロック図である。
【００１６】
図２において、ＣＰＵ１００は、例えば、３２ビットのＲＩＳＣ型ＣＰＵから成り、デジタル情報機器１内全体を制御する。メモリ１０１は、ＤＲＡＭ（Ｄｙｎａｍｉｃ  ＲＡＭ）、ＦＬＡＳＨ  ＲＯＭ、及びマスクＲＯＭ等の少なくとも１つから成り、ＣＰＵ１００により読み出されて実行される処理のプログラムやユーザデータ、画像表示のためのフォント等を記憶する。メモリ１０１に記憶されているプログラムには、電子メールを送受信するためのメールソフト・プログラムや、画像をアルバム状に編集して表示することが可能な電子アルバム機能を有する電子アルバムソフト・プログラム等がある。これらのプログラムは、例えば、ＣＤ−ＲＯＭ等の外部機器から接続ケーブル等を介してインストールされるか、インターネットを介してダウンロードされる。
【００１７】
画像・音声記憶部１０２は、ＣＦ（Ｃｏｍｐａｃｔ  Ｆｌａｓｈ）（登録商標）カードやＳＤ（Ｓｅｃｕｒｅ  Ｄｉｇｉｔａｌ）（登録商標）カード等の着脱可能なカード形状の記憶媒体から成り、音声データや画像データを記憶する。表示制御部１０３は、画像表示を行うための表示制御部であり、不図示のＶＲＡＭ（Ｖｉｄｅｏ  ＲＡＭ）に一時記憶された画像表示すべきデータやファイル、制御信号を定期的にＬＣＤ１０４に与えている。ＬＣＤ１０４は、例えば、ＶＧＡ（Ｖｉｄｅｏ  Ｇｒａｐｈｉｃｓ  Ａｒｒａｙ）クラスのバックライト付きカラー液晶、又はＱＶＧＡ（Ｑｕａｒｔｅｒ  ＶＧＡ）の反射型カラー液晶から成るＬＣＤタッチパネル２０１である。
【００１８】
カメラ制御部１０５は、デジタルカメラ２００の制御を行い、該デジタルカメラ２００により撮影された画像、すなわちＣＣＤ１０６から入力された生の画像をＡ／Ｄ変換し、ＡＧＣ（Ａｕｔｏｍａｔｉｃ  Ｇａｉｎ  Ｃｏｎｔｒｏｌ）や色バランスの調整等の映像に関する調整を行う。ＣＣＤ１０６は、撮像のためのＣＣＤ（Ｃｈａｒｇｅ  Ｃｏｕｐｌｅｄ
Ｄｅｖｉｃｅ）であり、３０〜３００万画素の画像が入力できる。
【００１９】
画像処理部１０７は、デジタルカメラ２００で撮影された画像をファインダ画面として表示制御部１０３に与える際に該画像の間引きを行う。また、画像処理部１０７は、例えば、デジタルカメラ２００により撮影された静止画をＪＰＥＧ画像に圧縮して画像・音声記憶部１０２に記憶する一方、画像・音声記憶部１０２に記憶されているＪＰＥＧ画像を伸長して表示制御部１０３に送る。
【００２０】
操作制御部１０８は、図１のキー入力２０２であるキーＳＷ１０９、及び図１のＬＣＤタッチパネル２０１であるタッチパネル１１０の操作制御を行う。操作制御部１０８では、キーＳＷ１０９の押下やタッチパネル１１０の押下によりＣＰＵ１００に割り込み処理をかける。この割り込み処理において、ＣＰＵ１００は割り込み処理の要因を把握し、その指示に応じた対応を行う。
【００２１】
通信制御部１１１は、携帯電話２や他のデジタル情報機器との通信手段であり、上述したＢｌｕｅｔｏｏｔｈによる近距離無線通信方式で通信を行う。勿論、ＩｒＤＡによる赤外線無線通信や有線接続も可能である。電源制御部１１２は、デジタル情報機器１の電源制御部であり、不図示の充電池の充電管理、残量管理、ＤＣ／ＤＣコンバータ制御を行うパワーマネージメント機構を有する。
【００２２】
図３は、図１の携帯電話２の内部構成を示すブロック図である。
【００２３】
図３において、ＣＰＵ１１３は、例えば、１６ビット又は３２ビットクラスの処理能力を持つＣＰＵから成り、携帯電話２内全体を制御する。メモリ１１４は、ＣＰＵ１１３により読み出されて実行される処理のプログラムやユーザデータ、電子メール等を記憶する。
【００２４】
表示制御部１１５は、画像表示を行うための表示制御部であり、表示すべき画像データをＬＣＤ１１６に与えている。ＬＣＤ１１６は、図１のＬＣＤ２０５であり、２インチクラスのカラー液晶又は白黒液晶から成る。操作部１１７は、図１のキー入力２０６であり、電話機能を指示するキー群である。
【００２５】
第一通信部１１８は、Ｂｌｕｅｔｏｏｔｈによる近距離無線通信方式でデジタル情報機器１と無線通信を行う。第二通信部１１９は公衆回線網３に接続する。公衆回線網３との通信方式として、上述したようにＩＭＴ２０００が用いられているが、他の通信方式、例えば、ＰＤＣ、ＰＨＳ、ＣｄｍａＯｎｅ、Ｃｄｍａ２０００、及びＧＳＭ等であってもよい。
【００２６】
音声切替部１２０は、音声入出力の経路を第一通信部１１８側又は第二通信部１１９側のいずれか一方に切り替える。通常の携帯電話として使用する場合は、音声入出力の経路は第二通信手段側に切り替えられており、公衆回線網３を介して音声通話が行われる。一方、デジタル情報機器１側の音声入出力に用いる場合は、音声入出力の経路は第一通信手段側に切り替えられる。
【００２７】
音声入出力制御部１２１は、音声入出力の制御を行うと共に、音声をデジタルコード化するコーデック部である。携帯電話２に入力された音声もデジタル情報機器１の音声メモもデジタル化されるので共通に使用する。例えば、図１のマイク２０４であるマイク１２２から入力された音声は、ＡＧＣ等で増幅された後にＡ／Ｄ変換され、更にＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ）化される。逆に、ＡＤＰＣＭ化された音声データを受け取ったときは、該音声データは復号後にＤ／Ａ変換され、増幅器を経て図１のスピーカ２０３であるスピーカ１２３にて再生される。
【００２８】
次に、図１のデジタル情報機器１に搭載された電子アルバム機能について説明する。電子アルバム機能とは、上述したように、デジタル情報機器１内の記憶されている任意の画像ファイルを電子アルバムソフトによりアルバム状に編集して表示するものである。
【００２９】
図４は、図１のデジタル情報機器１の電子アルバム機能により表示されるアルバム画面の概略図であり、（ａ）は画像ファイルが格納されたアルバムホルダの表示画面であり、（ｂ）はアルバムホルダ内の画像ファイルの縮小表示画面である。図５は、図４のアルバムホルダ内に格納された画像ファイルの表示画面を示す概略図である。
【００３０】
デジタル情報機器１において、ＬＣＤタッチパネル２０１に表示された、いろいろなアプリケーション・ソフトの選択が可能なＧＵＩから成るランチャー画面（不図示）から電子アルバム機能が選択されると、図４（ａ）に示すアルバム画面のトップを表示する。ここで表示されたアルバムホルダには、「家族旅行」、「日常風景」等の画像ファイルの内容の判別が容易な名称がそれぞれ付与され、画像ファイルや書類ファイル等が分類して格納されている。勿論、分類の種類は、多数設定が可能であり、更に細部に分けて分類することも可能である。このなかで、メール受信ホルダは、電子メールに添付して送られた画像ファイル等の一時格納ホルダである。
【００３１】
画面表示された複数のアルバムホルダのうちの１つがペン入力や入力デバイスにより選択されると、図４（ｂ）に示すように、選択されたアルバムホルダ内に格納されている画像ファイルの縮小画面が一覧表示される。そして、画像ファイルのひとつを選択して拡大コマンド（例：ペン入力ではダブルクリック）を与えると、該画像ファイルがＬＣＤタッチパネル２０１の画面全面に表示される。そこで、ユーザが画像ファイルの内容を確認し、該画像ファイルの他のホルダへの移動や消去を行うことができる。拡大コマンドは、図示していないコマンドタグを選択してプルダウンメニュー等を表示して与える。
【００３２】
画面表示された画像ファイルに関する属性情報を見たいときは、所定のコマンドを与えることにより、図５に示すような、画像ファイルに関するメモや画像属性を表示することができる。本実施の形態では、画像属性が、画像ファイルの撮影年月日や送信元を特定できるメールアドレスから成るが、このメールアドレスとメールアドレス帳を照合させたときに一致する送信者の名前や愛称から成るようにしてもよい。
【００３３】
次に、図１のデジタル情報機器１におけるメール受信処理について説明する。
【００３４】
図６は、図１のデジタル情報機器１において実行されるメール受信処理を示すフローチャートである。本処理は、メールソフトと協働し、メモリ１０１に記憶されたプログラムに基づいてＣＰＵ１００により実行されるものであり、メールソフト自身の処理が省略されている。
【００３５】
メールソフトは、デジタル情報機器１が通信制御部１１１を介して携帯電話２に接続し、該携帯電話２を介して公衆回線網３と接続して公衆回線網３内のインターネットプロバイダのメールサーバに問い合わせて電子メールが着信しているか否かを予め確認し、該電子メールを受信してメール有りの報知をユーザに行うと共にメール閲覧のなかに取り込み、ユーザから内容が確認できるようにするものである。
【００３６】
図６において、電子メールの着信があり、携帯電話２からデジタル情報機器１に転送された電子メールにファイルが添付されているか否かを判別する（ステップＳ４００）。この判別の結果、受信した電子メールにファイルが添付されていないときは（ステップＳ４００でＮＯ）、ステップＳ４０５へ進み、通常のメール閲覧動作を行って本処理を終了する一方、受信した電子メールにファイルが添付されているときは（ステップＳ４００でＹＥＳ）、添付されているファイルの種類を識別し、画像ファイルか否かを判別する（ステップＳ４０１）。ここでは、電子メールに添付されているファイルが画像ファイルか否かを判別するだけではなく、ワープロファイル、テキストファイル、表計算ファイル、及びプログラム実行形式ファイル等か否かについての判別をも行う。
【００３７】
ステップＳ４０１の判別の結果、電子メールに添付されているファイルが画像ファイルでないときは（ステップＳ４０１でＮＯ）、ステップＳ４０５へ進む一方、電子メールに添付されているファイルが画像ファイルであるときは（ステップＳ４０１でＹＥＳ）、その画像ファイルを電子アルバムソフトの電子アルバム機能により、上述したメール受信ホルダに格納する（ステップＳ４０２）。
【００３８】
次に、メール受信ホルダに格納された画像ファイルの画像属性に属性情報として電子メールの送信元の特定が可能な送信元のメールアドレスを付加する（ステップＳ４０３）。属性情報は、電子アルバム機能のなかの情報としてデジタルカメラ２００の撮影情報と共に、画像ファイル内に設定されたユーザ定義領域に書かれてもよい。また、ここでは、送信元のメールアドレスそのものを画像ファイルの画像属性に付加しているが、当該送信元のメールアドレスに対応し、デジタル情報機器１内のアドレス帳やメールアドレス帳を参照して、該アドレス帳等に登録されている名前及び愛称の少なくとも１つを付加するようにしてもよい。
【００３９】
続いて、通常のメール閲覧動作に戻って（ステップＳ４０４）、本処理を終了する。ここでは、ユーザに電子メールの着信を報知すると共に、メール一覧に表題やメールアドレスが表示され、ユーザの選択により電子メールの本文を更に表示する。電子メールに画像ファイルの添付があったことや、その画像ファイルが電子アルバム機能のメール受信ホルダに格納されていることは、該電子メールの下部にコメントとして表示される。すなわち、電子メールに添付された画像ファイルをすべて電子アルバムに取り込み、該画像ファイルの画像属性に送信元のメールアドレスを加えると共に、更に表題（サブジェクト）を画像ファイルの題名（タイトル）として登録し、且つメール本文中の特定の文字列コマンドに書かれているメモを画像ファイルのメモとして登録するので、画像ファイルの送信元を把握することができ、また送り手の意図やメッセージを手軽に付加することができる。なお、上記第１の実施の形態では、デジタル情報機器１がデジタルカメラ２００を備えているが、該デジタルカメラ２００は必須ではない。
【００４０】
以上述べたように、上記第１の実施の形態によれば、受信した電子メールに添付されているファイルの種類を識別し、画像ファイルが添付されている場合は、当該画像ファイルをメールソフトの電子アルバム機能により取り込み、該画像ファイルの送信元が特定できるメールアドレス、名前、愛称の少なくとも１つを該画像ファイルの画像属性に付加するので、電子メールに添付された画像ファイルの出所を明確にでき、該画像ファイルの整理を容易にすることができる。
【００４１】
（第２の実施の形態）
本発明の第２の実施の形態は、その基本的な構成（図１〜図３）が上記第１の実施の形態と同じであり、その説明は省略する。以下に、上記第１の実施の形態と異なる点のみを説明する。
【００４２】
上記第１の実施の形態では、電子メールに添付された画像ファイルに対して該電子メールの送信元が特定できる属性情報を付加したが、本第２の実施の形態では、更に画像ファイルの内容を示す属性情報を付加する。
【００４３】
図７は、本発明の第２の実施の形態に係るデジタル情報機器の制御方法の概略を示す図である。
【００４４】
図７において、メール本文７００は、デジタル情報機器１が受信した電子メールの本文であり、画面７００ａは、該メール本文７００に対応するアルバム画面である。
【００４５】
７０１は、上述したように、メール本文中に含まれる送信元のメールアドレスである。７０２は、電子メールの表題（サブジェクト）であり、その表題がそのまま画像ファイルのタイトルとして付加される。７０３，７０４，７０５は、画像ファイルの画像属性に付加する属性情報であり、メール本文中に所定の文字列により記載されている。これらの特定の文字列は、予め設定されており、記載形式や文字列はどのようなものであってもよい。本実施の形態では、＃と＃で挟まれた特定の文字列に注目するように構成している。
【００４６】
まず、電子アルバム機能により所定の情報を取り込むアルバムスクリプトは、「＃ａｌｂｕｍ  ｓｔａｒｔ＃」が開始のトリガーであり、「＃ａｌｂｕｍ  ｅｎｄ＃」が終了マークである。その間に、７０３のように「＃ａｌｂｕｍ  ｍｅｍｏ：文章＃」を付加すると、ここに入力される文章がそのまま画像ファイルのメモになる。同様に、７０４のように「＃ａｌｂｕｍ  ｎａｍｅ：ファイル名＃」を付加すると、デジタル情報機器１側でそのまま使用可能なファイル名になる。７０５のように「＃ａｌｂｕｍ  ｄａｔｅ：撮影日時＃」を付加すると、デジタルカメラによる撮影日時となる。この他に、ＧＰＳ（Ｇｌｏｂａｌ  Ｐｏｓｉｔｉｏｎｉｎｇ  Ｓｙｓｔｅｍｓ）やＰＨＳ（Ｐｅｒｓｏｎａｌ  Ｈａｎｄｙ−ｐｈｏｎｅ  Ｓｙｓｔｅｍ）等から得られる撮影位置情報や画像の再転送等に伴う本来の撮影元（転送履歴）、カメラの撮影条件（シャッタースピード、絞り）等であってもよい。そのときは、それぞれのコマンドスクリプトが定まっているものとする。
【００４７】
図８は、図７のデジタル情報機器１において実行されるメール受信処理を示すフローチャートである。本処理は、メールソフトと協働し、メモリ１０１に記憶されたプログラムに基づいてＣＰＵ１００により実行されるものである。
【００４８】
図８において、ステップＳ６００，Ｓ６０１，Ｓ６１１は、それぞれ図６のステップＳ４００，Ｓ４０１，Ｓ４０５と同じ処理であるため、その説明は省略する。
【００４９】
ステップＳ６０２では、受信した電子メールの内容を解析し、該電子メールの本文中に特定のスクリプト、すなわちアルバムスクリプトがあるか否かを判別する（ステップＳ６０３）。つまり、上述したように、「＃ａｌｂｕｍｘｘｘｘｘ＃」という文字列を特定でき、且つ「ｓｔａｒｔ，ｅｎｄ」が上下に付くように文法が守られているかを見て、メール本文中にアルバムスクリプト有無を判断する。ステップＳ６０３の判別の結果、メール本文中にアルバムスクリプトがあるときは（ステップＳ６０３でＹＥＳ）、ステップＳ６０４へ進み、電子メールの添付された画像ファイルを電子アルバムソフトの電子アルバム機能によりメール受信ホルダに格納する。
【００５０】
次に、メール受信ホルダに格納された画像ファイルの画像属性に属性情報としてメール送信元の特定が可能な送信元アドレスを付加し（ステップＳ６０５）、アルバムスクリプトに記述された情報に基づいて当該スクリプトに相当する情報を画像ファイルの画像属性に付加し（ステップＳ６０６）、通常のメール閲覧動作に戻って（ステップＳ６０７）、本処理を終了する。ステップＳ６０６において、画像ファイルの画像属性に付加される情報としては、撮影メモ、ファイル名、撮影日時、撮影位置、撮影条件、及び転送履歴等が挙げられるが、これに限られないことは云うまでもない。
【００５１】
一方、ステップＳ６０３の判別の結果、メール本文中にアルバムスクリプトがないときは（ステップＳ６０３でＮＯ）、ステップＳ６０８へ進み、電子メールの添付された画像ファイルを電子アルバムソフトの電子アルバム機能によりメール受信ホルダに格納する。
【００５２】
次に、メール受信ホルダに格納された画像ファイルの画像属性に属性情報としてメール送信元の特定が可能な送信元アドレスを付加し（ステップＳ６０９）、通常のメール閲覧動作に戻って（ステップＳ６１０）、本処理を終了する。
【００５３】
上記第２の実施の形態によれば、送信元を特定する情報以外に画像ファイルの内容を示す情報等をメール本文から抽出できるようにしたため、電子メールに添付された画像ファイルの情報を受け取り側で容易に確認することができる。
【００５４】
上記第２の実施の形態では、メール本文中への特定のアルバムスクリプトの付加をユーザの手入力により行っていたが、メール送信元のメールソフトによりアルバムスクリプトを付加するようにしてもよい。メール送信元側のメールソフトによるアルバムスクリプトの付加の概略を図９に示す。
【００５５】
図９において、画面９００は、メール送信元に表示される電子メールの新規作成画面であり、メール本文９００ａは、メール送信元のメールソフトにより作成された電子メールの本文である。本電子メールの送信先は、図示していないアドレス帳又はメールアドレス帳のなかから選択されるか、又は画面９００上のソフトキーボード９０４を用いて入力される。送信元には、予め設定されているユーザのメールアドレスが付加される。表題やメール本文は、ソフトキーボード９０４を用いて入力される。
【００５６】
そこで、アルバムスクリプトをメール本文９００ａ中に簡易に付加するために、ソフトキーボード９０４上にコマンドボタンを設けて選択をできるようにしている。このコマンドボタンは、勿論常時表示されているのではなく、電子アルバム機能との連動する機能を別途設定することで表示するようにしてもよい。ここでは、画面上のコマンドボタンにおけるコメント開始ボタン９０１が選択されると、メール本文９００ａ中に「＃ａｌｂｕｍ  ｓｔａｒｔ＃  ＃ａｌｂｕｍ  ｍｅｍｏ：＃」が付加される。その後、ユーザが画像ファイルのメモとなる文章を＃と＃の間にソフトキーボード９０４を用いて入力する。
【００５７】
画像選択ボタン９０３により画像ファイルの選択が行われた場合、電子アルバム機能により実際に添付したい画像ファイルが選択できる。そして、ファイル名や撮影日時の情報がスクリプトとしてメール本文９００ａ中に付加される。そして、最後に画面上のコメント終了ボタン９０２が選択されると、「＃ａｌｂｕｍｅｎｄ＃」がメール本文９００ａ中に付加される。本実施の形態では、コメント開始ボタン９０１、コメント終了ボタン９０２、及び画像選択ボタン９０３の３つについて説明したが、上記多くの属性情報に対してそれぞれのボタンを用意してもいいし、プルダウンメニューのようなコマンド選択方式にしてもよい。
【００５８】
本発明は、上述した実施の形態の機能を実現するソフトウェアのプログラム（図６及び図８のフローチャートに対応するプログラム）を、コンピュータ又はＣＰＵに供給し、そのコンピュータ又はＣＰＵが該供給されたプログラムを読み出して実行することによっても本発明の目的が達成されることは云うまでもない。
【００５９】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【００６０】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００６１】
更にまた、上述した実施の形態の機能を実現するソフトウェアのプログラムを記憶した記憶媒体をコンピュータに供給し、そのコンピュータ又はＣＰＵが該記憶媒体に格納されたプログラムを読み出して実行することによっても、本発明の目的が達成されることは云うまでもない。
【００６２】
上述した実施の形態では、プログラムはメモリ１０１に格納されているが、これに限定する必要はなく、プログラムを供給する記憶媒体としては、例えば、ＲＡＭ、ＮＶ−ＲＡＭ、ハードディスク、フレキシブルディスク、光ディスク、光磁気ディスク、ＭＯ、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、他のＲＯＭ等の上記プログラムを記憶できるものであればよい。
【００６３】
本発明の実施態様の例を以下に列挙する。
【００６４】
〔実施態様１〕  電子メールを送受信するメール送受信手段を備えるデジタル情報機器の制御方法において、前記受信した電子メールに添付された画像を識別する識別工程と、前記識別した画像の属性に所定の情報を付加する付加工程と、前記所定の情報が付加された画像を編集表示する編集表示工程とを備えることを特徴とするデジタル情報機器の制御方法。
【００６５】
〔実施態様２〕  前記所定の情報は、前記受信した電子メールの送信元が特定可能な情報であることを特徴とする実施態様１記載のデジタル情報機器の制御方法。
【００６６】
〔実施態様３〕  前記送信元が特定可能な情報には、前記送信元のメールアドレスを含むことを特徴とする実施態様２記載のデジタル情報機器の制御方法。
【００６７】
〔実施態様４〕  前記送信元が特定可能な情報には、前記送信元のメールアドレスに対応し、前記デジタル情報機器内のアドレス帳に登録されている名前及び愛称の少なくとも１つを含むことを特徴とする実施態様２又は３記載のデジタル情報機器の制御方法。
【００６８】
〔実施態様５〕  前記付加工程は、前記受信した電子メールの本文中の内容を前記所定の情報として付加することを特徴とする実施態様１乃至４のいずれか１態様に記載のデジタル情報機器の制御方法。
【００６９】
〔実施態様６〕  前記電子メールの本文中の内容には、当該電子メールの表題を含むことを特徴とする実施態様５記載のデジタル情報機器の制御方法。
【００７０】
〔実施態様７〕  前記編集表示工程は、前記電子メールの表題を前記所定の情報が付加された画像のタイトルにすることを特徴とする実施態様６記載のデジタル情報機器の制御方法。
【００７１】
〔実施態様８〕  前記付加工程は、前記受信した電子メールの本文から特定の文字列を検出し、当該特定の文字列に応じて前記識別した画像の属性に前記所定の情報を付加することを特徴とする実施態様１乃至４のいずれか１態様に記載のデジタル情報機器の制御方法。
【００７２】
〔実施態様９〕  前記特定の文字列は、前記画像の属性の記述の開始、前記画像のメモ、前記画像の撮影された日時、前記画像のファイル名、及び前記画像の属性の記述の終了から成ることを特徴とする実施態様８記載のデジタル情報機器の制御方法。
【００７３】
〔実施態様１０〕  前記編集表示工程は、前記画像と共に当該画像に付加された前記所定の情報を表示することを特徴とする実施態様１乃至９のいずれか１態様に記載のデジタル情報機器の制御方法。
【００７４】
〔実施態様１１〕  電子メールを送受信する送受信手段を備えるデジタル情報機器において、前記受信した電子メールに添付された画像を識別する識別手段と、前記識別した画像の属性に所定の情報を付加する付加手段と、前記所定の情報が付加された画像を編集表示する編集表示手段とを備えることを特徴とするデジタル情報機器。
【００７５】
〔実施態様１２〕  前記所定の情報は、前記受信した電子メールの送信元が特定可能な情報であることを特徴とする実施態様１１記載のデジタル情報機器。
【００７６】
〔実施態様１３〕  前記送信元が特定可能な情報には、前記送信元のメールアドレスを含むことを特徴とする実施態様１２記載のデジタル情報機器。
【００７７】
〔実施態様１４〕  前記送信元が特定可能な情報には、前記送信元のメールアドレスに対応し、前記デジタル情報機器内のアドレス帳に登録されている名前及び愛称の少なくとも１つを含むことを特徴とする実施態様１２又は１３記載のデジタル情報機器。
【００７８】
〔実施態様１５〕  前記付加手段は、前記受信した電子メールの本文中の内容を前記所定の情報として付加することを特徴とする実施態様１１乃至１４のいずれか１態様に記載のデジタル情報機器。
【００７９】
〔実施態様１６〕  前記電子メールの本文中の内容には、当該電子メールの表題を含むことを特徴とする実施態様１５記載のデジタル情報機器。
【００８０】
〔実施態様１７〕  前記編集表示手段は、前記電子メールの表題を前記所定の情報が付加された画像のタイトルにすることを特徴とする実施態様１６記載のデジタル情報機器。
【００８１】
〔実施態様１８〕  前記付加手段は、前記受信した電子メールの本文から特定の文字列を検出し、当該特定の文字列に応じて前記識別した画像の属性に前記所定の情報を付加することを特徴とする実施態様１１乃至１４のいずれか１態様に記載のデジタル情報機器。
【００８２】
〔実施態様１９〕  前記特定の文字列は、前記画像の属性の開始、前記画像のメモ、前記画像の撮影された日時、前記画像のファイル名、及び前記画像の属性の終了から成ることを特徴とする実施態様１８記載のデジタル情報機器。
【００８３】
〔実施態様２０〕  前記編集表示手段は、前記画像と共に当該画像に付加された前記所定の情報を表示することを特徴とする実施態様１１乃至１９のいずれか１態様に記載のデジタル情報機器。
【００８４】
〔実施態様２１〕  電子メールを送受信するメール送受信手段を備えるデジタル情報機器を制御するためのコンピュータに実行可能なコンピュータプログラムであって、前記受信した電子メールに添付された画像を識別する識別工程と、前記識別した画像の属性に所定の情報を付加する付加工程と、前記所定の情報が付加された画像を編集表示する編集表示工程の各工程を前記デジタル情報機器に実行させるためのプログラムコードを含むことを特徴とするコンピュータプログラム。
【００８５】
【発明の効果】
以上詳細に説明したように、本発明によれば、受信した電子メールに添付されている情報から画像ファイルを識別し、識別された画像ファイルに所定の属性情報を付加して編集し、該所定の属性情報が付加された画像ファイルを表示するので、メールに添付された画像ファイルの出所を明確にでき、該画像ファイルの整理を容易にすることができる。
【図面の簡単な説明】
【図１】本発明の第１の実施の形態に係るデジタル情報機器の制御方法を実行するシステムの全体構成を示す図である。
【図２】図１のデジタル情報機器１の内部構成を示すブロック図である。
【図３】図１の携帯電話２の内部構成を示すブロック図である。
【図４】図１のデジタル情報機器１の電子アルバム機能により表示されるアルバム画面の概略図であり、（ａ）は画像ファイルが格納されたアルバムホルダの表示画面であり、（ｂ）はアルバムホルダ内の画像ファイルの縮小表示画面である。
【図５】図４のアルバムホルダ内に格納された画像ファイルの表示画面を示す概略図である。
【図６】図１のデジタル情報機器１において実行されるメール受信処理を示すフローチャートである。
【図７】本発明の第２の実施の形態に係るデジタル情報機器の制御方法の概略を示す図である。
【図８】図７のデジタル情報機器１において実行されるメール受信処理を示すフローチャートである。
【図９】図７のメール作成側の機器において実行されるアルバムスクリプト付加の概略を示す図である。
【符号の説明】
１  デジタル情報機器
２  携帯電話
３  公衆回線網
１００，１１３  ＣＰＵ
１０１，１１４  メモリ
１０２  画像・音声記憶部
１１１  通信制御部
【図１】
2004193859.tif 000003
【図２】
2004193859.tif 000004
【図３】
2004193859.tif 000005
【図４】
2004193859.tif 000006
【図５】
2004193859.tif 000007
【図６】
2004193859.tif 000008
【図７】
2004193859.tif 000009
【図８】
2004193859.tif 000010
【図９】
2004193859.tif 000011